(57)【要約】  本発明は、特に資金調達を求める会社の株式や債券などの有価証券を販売する方法に関する。この方法は、投資家を探している会社の株式を販売するためのプラットフォーム（Ｐ）を創出し、そのプラットフォーム（Ｐ）は、１社または数社の有価証券の集まりを定め、各有価証券は、消費財の販売網（Ｍ）において販売できる製品を構成する物理的要素（ＢＡ１乃至ＢＡｎ）の形により提示され、同時に有価証券の購入を監視する法的手続が確保されることを特徴とする。この発明は、会社の株式の販売に適用できる。【選択図】  図１
2018505498.tif 000002
【特許請求の範囲】
【請求項１】
資金調達を求める会社の株式や債券などの有価証券を販売する方法であって、株式を販売するためのプラットフォームを創出し、前記プラットフォームは株式の集まりを定め、前記株式の集まりは、消費財の販売網において販売できる製品を構成する物理的要素の形により提示され、同時に前記有価証券の購入を監視する法的手続を確保することを特徴とする方法。
【請求項２】
１社または数社の前記有価証券の集まりが定められることを特徴とする、請求項１に記載の方法。
【請求項３】
百または数百ユーロの、金銭上の価値の低い１社または数社の前記有価証券の集まりが定められることを特徴とする、請求項２に記載の方法。
【請求項４】
各有価証券の集まりが、前記消費財の販売網において、固有のコードにより特定される箱、封筒、または同類の前記物理的要素を通して提示されることを特徴とする、請求項１乃至３のいずれか１項に記載の方法。
【請求項５】
前記有価証券の集まりを具象化する前記物理的要素が、少なくともその三次元の要素に固有なコードが内部にある箱、封筒などの三次元の要素の形に作られることを特徴とする、請求項４に記載の方法。
【請求項６】
前記三次元の要素がさらに、株式が前記三次元の要素により具象化された会社群を説明する小冊子を含み、使用モードが前記プラットフォームのウェブサイトに接続するアドレスを含むことを特徴とする、請求項５に記載の方法。
【請求項７】
前記三次元の要素が、前記有価証券の集まりの構成に関する少なくとも一つの提案を含むことを特徴とする、請求項５または６に記載の方法。
【請求項８】
三次元の要素の購入者が前記有価証券の購入を電子署名によって承認するために、固有のコードを入力した後に、前記プラットフォームのウェブサイトへのアクセスにより前記有価証券の引受手続を開始することを特徴とする、請求項１乃至７のいずれか１項に記載の方法。
【請求項９】
前記購入者が引受の間に、識別子とパスワードを創出しなくてはならず、また金融商品市場の指令に従って、必須質問書に記入しなくてはならないことを特徴とする、請求項８に記載の方法。
【請求項１０】
選択した株式の集まりを具象化した前記物理的要素の前記購入者による前記有価証券の獲得が、前記物理的要素の固有コードに加えて、前記物理的要素の代金を支払うことにより満足される追加条件を要求することを特徴とする、請求項８または９に記載の方法。
【請求項１１】
前記追加条件が、前記物理的要素の代金支払時に前記プラットフォームへ検証信号を送信することを含むことを特徴とする、請求項１０に記載の方法。
【請求項１２】
前記追加条件が、前記物理的要素の代金支払い時に前記三次元の要素の購入者に与えられる検証コードを含むことを特徴とする、請求項１１に記載の方法。
【請求項１３】
前記物理的要素が、厚紙などの適切な材料から作られる使い捨ての箱により形成されることを特徴とする、請求項１乃至１２のいずれか１項に記載の方法。
【請求項１４】
前記物理的要素がケーシングボックス内に収容され、購入者が支払時に前記ケーシングボックスを開けて前記物理的要素にアクセスすることを特徴とする、請求項１０乃至１３のいずれか１項に記載の方法。
【請求項１５】
前記ケーシングボックスが、前記プラットフォームによりプログラム可能かつ再プログラム可能なスマートボックスの形に作られることを特徴とする、請求項１４に記載の方法。
【請求項１６】
前記物理的要素が二次元の要素であることを特徴とする、請求項８乃至１５のいずれか１項に記載の方法。
【請求項１７】
前記有価証券が株式であることを特徴とする、請求項１乃至１６のいずれか１項に記載の方法。
【請求項１８】
販売経路が大規模小売店であることを特徴とする、請求項１乃至１７のいずれか１項に記載の方法。
【請求項１９】
請求項１乃至１８のいずれか１項に記載の方法を実行するためのシステムであって、
有価証券の物理的要素を、消費財の販売経路乃至店において展示し販売できる製品の形に定めるのに適した、前記有価証券を販売するためのプラットフォーム、
前記物理的要素、
物理的な商品を販売するための前記販売経路乃至店、
を含むことを特徴とするシステム。
【発明の詳細な説明】
【技術分野】
【０００１】
本発明は、資金調達を求める会社の株式や債券などの有価証券を販売（ｄｉｓｔｒｉｂｕｔｅ、公開）する方法と、その方法を実行するためのシステムに係り、より詳しくは、株式の集まりを定め前記株式の集まりは、消費財の販売網において販売できる製品を構成する物理的要素の形により提示されることを特徴とする有価証券を販売する方法とその方法を実行するためのシステムに関する。
【背景技術】
【０００２】
株式の売出しは、たとえば有名でその名声により魅力的な会社にとっては比較的易しい。反対に、小さいまたは事業を始めたばかりの会社は、投資家を見つけるのが難しい。
【発明の概要】
【発明が解決しようとする課題】
【０００３】
本発明は、上述の問題の解決策を提案することを目的としている。
【課題を解決するための手段】
【０００４】
上述の目的のための、本発明による方法は、株式を販売するためのプラットフォームを創出し、前記プラットフォームは株式の集まりを定め、前記株式の集まりは、消費財の販売網において販売できる製品を構成する物理的要素の形により提示され、同時に有価証券の購入を監視する法的手続を確保することを特徴とする。
【０００５】
本発明の一つの特徴によれば、本方法は、１社または数社の前記有価証券の集まりが定められることを特徴とする。
【０００６】
本発明の他の特徴によれば、本方法は、百または数百ユーロの、金銭上の価値の低い１社または数社の前記有価証券の集まりが定められることを特徴とする。
【０００７】
本発明のさらに他の特徴によれば、本方法は、各有価証券の集まりが、前記消費財の販売網において、固有のコードにより特定される箱、封筒、または同類の前記物理的要素を通して提示されることを特徴とする。
【０００８】
本発明のさらに他の特徴によれば、本方法は、前記有価証券の集まりを具象化する前記物理的要素が、少なくともその三次元の要素に固有なコードが内部にある箱、封筒などの三次元の要素の形に作られることを特徴とする。
【０００９】
本発明のさらに他の特徴によれば、本方法は、前記三次元の要素がさらに、株式が前記三次元の要素により具象化された会社群を説明する小冊子を含み、使用モードが前記プラットフォームのウェブサイトに接続するアドレスを含むことを特徴とする。
【００１０】
本発明のさらに他の特徴によれば、本方法は、前記三次元の要素が、前記有価証券の集まりの構成に関する少なくとも一つの提案を含むことを特徴とする。
【００１１】
本発明のさらに他の特徴によれば、本方法は、三次元の要素の購入者が前記有価証券の購入を電子署名によって承認するために、固有のコードを入力した後に、前記プラットフォームのウェブサイトへのアクセスにより前記有価証券の引受手続を開始することを特徴とする。
【００１２】
本発明のさらに他の特徴によれば、本方法は、前記購入者が引受の間に、識別子とパスワードを創出しなくてはならず、また金融商品市場の指令に従って、必須質問書に記入しなくてはならないことを特徴とする。
【００１３】
本発明のさらに他の特徴によれば、本方法は、選択した株式の集まりを具象化した前記物理的要素の前記購入者による前記有価証券の獲得が、前記物理的要素の固有コードに加えて、前記物理的要素の代金を支払うことにより満足される追加条件を要求することを特徴とする。
【００１４】
本発明のさらに他の特徴によれば、本方法は、前記追加条件が、前記物理的要素の代金支払時に前記プラットフォームへ検証信号を送信することを含むことを特徴とする。
【００１５】
本発明のさらに他の特徴によれば、本方法は、前記追加条件が、前記物理的要素の代金支払い時に前記三次元の要素の購入者に与えられる検証コードを含むことを特徴とする。
【００１６】
本発明のさらに他の特徴によれば、本方法は、前記物理的要素が、厚紙などの適切な材料から作られる使い捨ての箱により形成されることを特徴とする。
【００１７】
本発明のさらに他の特徴によれば、本方法は、前記物理的要素がケーシングボックス内に収容され、購入者が支払時に前記ケーシングボックスを開けて前記物理的要素にアクセスすることを特徴とする。
【００１８】
本発明のさらに他の特徴によれば、本方法は、前記ケーシングボックスが、前記プラットフォームによりプログラム可能かつ再プログラム可能なスマートボックスの形に作られることを特徴とする。
【００１９】
本発明のさらに他の特徴によれば、本方法は、前記物理的要素が二次元の要素であることを特徴とする。
【００２０】
本発明のさらに他の特徴によれば、本方法は、前記有価証券が株式であることを特徴とする。
【００２１】
本発明のさらに他の特徴によれば、本方法は、前記販売網の販売経路が大規模小売店であることを特徴とする。
【００２２】
本発明はまた、前述の方法を実行するためのシステムであって、本システムは、有価証券の物理的要素を、消費財の販売経路や店において展示し販売できる製品の形に定めるのに適した、前記有価証券を販売するためのプラットフォーム、前記物理的要素、物理的な商品を販売するための販売経路や店、を含むことを特徴とする。
【図面の簡単な説明】
【００２３】
本発明は、添付図面を参照しながら下記の説明（本発明の他の目的、特徴、詳細、効果がより明確に現れている）により、より良く理解される。以下の図面は本発明の１実施例を１例として図解しているに過ぎない。
【図１】本発明の方法による有価証券の販売の２つのステップを示す図である。
【図２】本発明の方法による有価証券の販売の２つのステップを示す図である。
【図３】図２のステップの代替を示す図である。
【発明を実施するための形態】
【００２４】
図面は、有価証券を販売する方法とシステムの１実施例（これに限らない）を、手近なケースとして、株式の販売により資金調達を求める会社群の、株式の販売を図解している。
【００２５】
本発明の特徴は、本発明が、株式を消費財の販売経路や店に導入でき、かつこれらの販売経路や店を訪れた顧客に販売できる製品の形により展示し販売し、株式の販売を促進するということにある。本発明は、これらの販売経路や店における株式のオファーの促進によって、一方では、投資経験が豊かでない、またはプロの投資家でない多くの個人が手を延ばすことに成功し、他方では、これらの個人が百ユーロ位、たとえば１００から５００ユーロ位、好ましくは２００から４００ユーロの間の、比較的少額の価格により株式を買うことを促進する。
【００２６】
本発明の本質的な特徴の一つは、より具体的には、図面に示すように、株式の販売による投資を求めている会社群Ｓ１乃至Ｓｎが株式の販売（ｄｉｓｔｒｉｂｕｔｅ、公開）を含む投資サービスのためのプラットフォームＰであって、株式の売り込み（ｓａｌｅ）を通じて自身の売り込みを委託するプラットフォームＰの創出にある。プラットフォームＰは、これらの会社群に、これらの会社群を多くの個人投資家と接続する株式販売ネットワークを提供する。
【００２７】
プラットフォームＰは、上述したような比較的低い金銭的価値、つまり百または数百ユーロ位の、１社または数社（たとえば２、３社）の、いくつかの株式の集まりを定める。各集まりの株式は、好ましくは産業、経済またはエコロジー、バイオテクノロジー、インターネットまたは大量消費、金融商品の地理的地域やタイプなどの類似の活動部門を指定したテーマに基づき選択される。
【００２８】
本発明の他の本質的な特徴によれば、こうしてテーマにより編成された各株式の集まりは、次に、魅力的な物理的要素により一般の人々に提示され、消費財の販売のための、参照符号Ｍにより表わされる好ましくは大規模小売店である販売経路または店に、箱ＢＡ１乃至ＢＡｎ  の形により展示される。図面において、参照符号Ａは個人、つまり店Ｍに現れ、箱の外面にその箱によって具象化された株式のテーマと額、すなわち価格を表示して展示された箱の前を通る潜在的購入者を表す。
【００２９】
各箱は、たとえば厚紙により作られ、それ自体額面価格はないが箱を指定する固有のコード（後述するように、会社の資本の引受に使われる）を有する箱の価格に含まれるギフトカードのような書類と、その株式が箱により具象化された株式の集まりの一部を成す会社群のすべてを含む小冊子を含む。前記小冊子は、会社群の記述と、会社群に投資できるようなユーザー使用説明書を含む。ユーザー使用説明書は、固有の引受番号によってウェブサイト、特にプラットフォームＰに接続するためのアドレスと、株式市場の用語集を含む。箱は閉じられていることに留意されたい。
【００３０】
矢印ｆ１とｆ２は、本発明による方法のステップを表し、会社群Ｓ１乃至Ｓｎがプラットフォームのアドレスを指定し、プラットフォームは店Ｍにおいて販売される箱ＢＡ１乃至ＢＡｎを表示する。個人が箱を購入したい、すなわちその箱によって具象化された株式を獲得したいと思った場合、彼は矢印ｆ３にしたがって、箱を持って店のレジ係Ｃのところへ行く。もし箱が閉じられていれば、彼は箱に含まれる固有のコードへのアクセス情報を持たないので、引受手続を実行できず、したがってプラットフォームから株式を購入できない。しかしながら、もし彼が箱を開けたとしても、彼は依然としてプラットフォームと交信できず、交信するためには、矢印ｆ４にしたがって、購入行為に関する二番目の条件、つまりレジ係において箱の価格を支払うことが必要である。図２に示すように、支払いは、矢印ｆ５により表わされるようにプラットフォームに送られる検証信号を創出し、箱に現われた例えばバーコードのようなコードを読み取ることを含む。箱の購入者が、その購入に関連する固有のコードを彼のコンピュータに入力することにより、その箱の中の株式の引受手続のためにウェブサイトへのアクセスを可能にさせるのは、それ以前に箱購入の検証信号を受信していることである。
【００３１】
図３は、箱の購入者のサイトへのアクセスを許可する他の方法を図解している。矢印ｆ４にしたがった箱の価格の支払に続いて、レジ係は、購入者に、検証信号購入者が引受手続にアクセスするために箱の固有コードと共に入力する検証信号の形によるアクセス許可情報を含む、種々の形式の書類を渡す。
【００３２】
信号または検証コードを作り出す他の適切な形式またはやり方は、もちろん本発明の範囲内である。
【００３３】
本発明の他の実施例によれば、使い捨ての箱ＢＡ１乃至ＢＡｎは、店Ｍにおいて箱の前を通る個人に向けて直接展示されるよりは、箱ＢＡ１乃至ＢＡｎにより表示される価格や株式の集まりに関して、プラットフォームによりプログラム可能かつ再プログラム可能な「スマート」ボックスの形により作ることができ、引き続き店の財産である再利用可能な外装ケーシングボックスにすることができる。獲得される株式の集まりの価格や現在の構成は、外装ケーシングボックスに設けられた表示画面により見ることができる。この場合、プラットフォームのサイトにアクセスするための二番目の条件は、レジ係において支払う際に前記ケーシングボックスを開くことにより構成される。
【００３４】
会社群や、その箱の中の箱に関する株式についての情報を含む小冊子を置く代わりに、箱を購入した個人が、引受購入手続つまり株式の購入の間に、プラットフォームとの交信によりその情報を得ることもできることに留意されたい。
【００３５】
引受手続は、次のようにして行われる。
選択した箱を購入後、購入者は箱を開ける。購入者はオンラインに接続し、そのアドレス（起源がプラットフォームの名である）  ｗｗｗ．ｏｒｉｇｉｎｉｎｖｅｓｔｉｎｇ．ｃｏｍ／ｌｉｓｔｅｅｎｔｒｅｐｒｉｓｅ  へ接続するよう案内される。矢印ｆ６はこの操作を表す。図３の場合、購入者は、前記アドレスにおいて、識別子とパスワードを作り、支払いに続いて彼が受領した検証コードを入力した後、彼の箱にあった固有コードを入力するよう求められる。購入者は、識別のために彼の姓、名、身元を証明するもの、住所、銀行特定情報のなどの購入者の接続情報を入力し、かつＭＩＦ（金融商品市場指令）の質問事項に回答する。次いで購入者は、厳密にいうところの引受を実行する。購入者が提案された株式の集まりを受け容れるなら、彼は操作を有効にする。購入者が箱の価格の分配につき別の選択をしたなら、購入者は、彼が各会社に投資したい額を入力する。購入者は、彼の選択をした後、「投資する」をクリックする。購入者は、引受書類に電子署名するよう求められる。署名の後、購入者は、購入者の識別子とパスワードを示すことにより彼が事前に作っておいた購入者の個人領域「私の領域」（そこで購入者は彼が行った投資のリストを見ることができる）に戻される。前記リストは、購入者が後日他の株式を購入した時点において、投資の価値の変化を表示する。前記個人領域はまた、購入者がメッセージングによりプラットフォームに連絡することを可能にしている。投資の購入者は、引受の前にプラットフォームと通信することはできない。反対に、購入者がそこと接続するよう箱に求められたページｗｗｗ．ｏｒｉｇｉｎｉｎｖｅｓｔｉｎｇ．ｃｏｍ／ｌｉｓｔｅｅｎｔｒｅｐｒｉｓｅ  は、購入者が必要とするかもしれない、または購入者に役立ちそうな、特に株式への投資に関連した税制優遇策、および購入者が必要な宣言書の作成を可能にする税務書類を含むすべての情報を含んでいる。
【００３６】
もし投資家が望めば、プラットフォームは、投資家に箱の全額を投資することを可能にするオファーを行うことに留意されたい。プラットフォームはまた、顧客に、株式の価格を基に顧客が投資したい額を調整可能とするオファーを行う。もし残高があれば、投資家がその時プラットフォームに関して持っている口座に入れるか、またはもし当てはまるなら、別の箱か、少なくとも１つの個別株の購入に再投資できる。
【００３７】
本発明の上記の記述は、本発明が、まだ知られていないまたは事業を始めたばかりで、まだ確かな評判によって魅力的となっていない会社群に対し、会社群と、株式購入に慣れていない大勢の観衆と個人（プラットフォームがこれらの観衆と個人に、株式を提示したやり方を介して投資することを促し、株式を魅力的な箱によって比較的低い価格により提供する）とを接続するために設計されたプラットフォームにより、投資家を見つけるための強力なツールをもたらすことを示している。本発明は、特に未上場株式を販売するのに適しているが、証券取引所に上場されている株式にも使用できる。
【００３８】
さらに、箱が比較的安価であるため、会社群に直接投資したい個人が購入し、またはギフトとして贈られることもできる。
【００３９】
「有価証券」の用語は一般表現であって、すべての有価証券、すなわち株式、債券、およびそれに類するもの、会社、協会、財団などへの寄付、の範囲にわたることに留意されたい。「消費財の販売経路」の表現は、インターネット商取引を介した販売も含むとみなされる。実際、顧客がサイトに示された箱の中から一つの箱を購入し支払うことを決断した後、顧客は選んだ箱を郵便その他の手段により受領し、次に一例として上記したように、プラットフォームとの引受手続を行う。
【００４０】
ここに記述された本発明には、もちろん多くの変更ができる。このように、株式の集まりを象徴する物理的要素は、カードまたは類似のもののように、二次元にできる。ここで。コードが目に見えてしまうという事実は、前述したように、引受が物理的要素の価格を支払うことによってしか満足されない前記二番目の条件を要求するために、問題にはならない。前記二番目の条件は、どんな適切なやり方により行われてもよい。引受手続は、支払行為により提供されるアクセスコードと検証コードに基づく限り、記述したのと違ってもよいことに留意されたい。
【符号の説明】
【００４１】
Ａ  個人
ＢＡ１、ＢＡ２、ＢＡ３、ＭＡｎ  箱
Ｃ  レジ係
Ｍ  販売網
Ｐ  プラットフォーム
Ｓ１、Ｓ２、Ｓ３、Ｓｎ  会社群
【図１】
2018505498.tif 000003
【図２】
2018505498.tif 000004
【図３】
2018505498.tif 000005
【国際調査報告】
2018505498.tif 000006
2018505498.tif 000007
2018505498.tif 000008
2018505498.tif 000009
2018505498.tif 000010
2018505498.tif 000011